(57)【要約】      （修正有）【課題】浴槽の中の湯水の効率の良い湯水質改善と浴室内に設置されているシャワーホースやカランパイプの給湯水の湯水質改善について、どちらについても手軽に行うことのできる磁気入浴用品を提供する。【解決手段】２つの本体ケースにそれぞれネオジム磁石を格納した一組みの本体は、浴槽の湯水に対し電磁誘導の現象を積極的に引き起こすため、浴槽で生ずるすべての湯水の動きとともに浴槽の底で揺り動くことのできる接地支点の少ない丸みを帯びた形状を有する。【選択図】図２
0003157367.tif 000002
【実用新案登録請求の範囲】
【請求項１】
２つの本体ケースにそれぞれネオジム磁石を格納した一組みの本体が、浴槽の湯水の中において、電磁誘導の現象を引き起こすことについて積極性を有する形状および形態であり、かつ、磁力線の特性を活かし強く拡がりをもった開放的な磁界を形成する磁気回路を備えることにより、浴槽の湯水の容量に対し、効率の良い湯水質改善を行えることを特徴とする磁気入浴用品。
【請求項２】
前記本体が、磁力により互いが引き合う組み合わせを変えることにより、浴槽の中の湯水の効率の良い湯水質改善と浴室内に設置されているシャワーホースやカランパイプの給湯水の湯水質改善について、どちらについても手軽に行えることを特徴とする請求項１記載の磁気入浴用品。
【請求項３】
永久磁石であるネオジム磁石を、耐水性を有する発泡ウレタン合成木材であるケミカルウッドから成る本体ケースに格納することにより、浴槽や水道器具を傷めず、湯水に浸かったままでも、本体の特性に影響なく長期に亘り耐用のできることを特徴とする請求項２記載の磁気入浴用品。
【考案の詳細な説明】
【技術分野】
【０００１】本考案は、起電力が生ずる電磁誘導の現象を利用して、浴室内の給湯水の湯水質改善を行う磁気入浴用品に関するものである。
【背景技術】
【０００２】入浴器表面に磁石を複数個配置し、湯浴中の湯動を利用してファラデーの法則を成り立たせ、電磁誘導により浴湯中のイオンの活性化が起こり、温泉、プール、公衆浴場、家庭風呂、循環式風呂などの湯水質改善を行うものが従来から知られている。（例えば特許文献１参照）。【０００３】ひの木材ボールに、棒状の磁石を６方面から均等に入れ込み、このボールを入浴の際に、浴槽の湯の中に無数に入れて、利用する人の健康と、精神衛生の向上に役立てるものが従来から知られている。（例えば特許文献２参照）。【０００４】ネオジム磁石を収納したプラスチックケースをお風呂の底に沈め湯を張り、静磁気の作用によりお風呂のお湯全体を磁化した滑らかなお湯に変えるものが従来から利用されてきている。【０００５】ネオジム磁石を装填した吸盤付きのマットをお風呂の底に貼り付け湯を張り、入浴の際磁気効果により血行を促す作用のあるものが従来から利用されてきている。【０００６】フェライト磁石を収納したひのき材とステンレス材で構成された容器をお湯張りした浴槽の底に沈め、磁力線によって水の分子構造を変化させ、お湯を柔らかくし湯当たりを良くするものが従来から利用されてきている。【０００７】Ｎ極の磁気作用面を有する永久磁石が収容された一方のハウジングと、Ｓ極の磁気作用面を有する永久磁石が収容された他方のハウジングとの間に、管状部材が着脱可能に備えられていることを特徴とする水活性化装置が従来から知られている。（例えば特許文献３参照）。
【先行技術文献】
【特許文献】
【０００８】
【特許文献１】特開２００５−３０４６８７
【特許文献２】特開２０００−２０２０３９
【特許文献３】特開２００８−２６４６４８
【考案の概要】
【考案が解決しようとする課題】
【０００９】浴槽の中の湯水の効率の良い湯水質改善と浴室内に設置されているシャワーホースやカランパイプの給湯水の湯水質改善について、どちらについても手軽に行うことのできる磁気入浴用品の考案である。
【課題を解決するための手段】
【００１０】磁界の中をイオンなどの不純物を含む水道水が運動すると、起電力が生ずる電磁誘導の現象を利用し、従来からさまざまな方法により磁気による湯水質の改善が行われてきている。そこで、この電磁誘導の現象が、浴槽の湯水の容量に対して、より効率良く行われるための最適な状態を考えてみる。【００１１】浴槽の中で生ずる湯水の運動として、お湯張りをする際の湯水の流れや、追い炊きをする際の湯水の対流、そして、入浴中の人の動きに応じ生ずる湯水の動き、あるいは、人が入浴中に湯水を意図的に動かすなどがあげられる。
磁石を格納した本体を浴槽に入れた際、浴槽の中で生ずるすべての湯水の運動を、本体内部に格納された磁石の磁界に有効に関与させることが重要であり、さらに、磁石を格納したその本体は、自重により一定の場所に留まることなく、あるいは、固定的性質な形状であるがために湯水の運動に対して受容体であるのではなく、湯水の動きに呼応され、自らも湯水とともに揺り動き、電磁誘導の現象を引き起こすことについて積極性を有する状態が、最も望ましい。【００１２】以上の状態を実現するためには、磁石を格納する本体ケースについて、湯水の動きに揺らぎ応ずることのできる軽量性、そして、本体ケースと浴槽との接地支点が少ない丸みを帯びた形状であることが望まれる。さらに、入浴用品であるがゆえに、浴槽を傷めず、かつ、湯水に侵食しない耐水性を有する材質から成ることは必須である。このことは、加工性に優れた発泡ウレタン合成木材であるケミカルウッドを採用することで解決ができる。【００１３】次に、効率良く湯水質の改善を行うための磁気回路を検討する。浴槽の湯水の容量を考えれば、強く拡がりをもった開放的な磁界の形成が必要である。
そこで、本体に格納する磁石は、磁束密度のもっとも高いネオジム磁石が望ましく、周辺への磁力線分布が平均している円柱形が最適であろう。２個の円柱形のネオジム磁石を異なる磁極に向かい合わせ、一定の距離に保ち配置をしてみる。この時、磁力線は対面にあるＮ極からＳ極へまっすぐ向かうのだが、ここでは互いを引き合う磁石の吸着力は利用せず、より遠くに伸びる磁力線の働きを有効活用したい。そのためには、向かい合っている磁極面にそれぞれ円柱形のネオジム磁石より口径の広い強磁性体である鉄を貼り付け、対面の磁力線を妨げる。これにより、向き合っていないＮ極から向き合っていないＳ極へ向かう磁力線が豊富に繋がり合え、ゆえに、強く拡がりをもった開放的な磁界を形成することができる。以上を、本考案における浴槽に貯められた湯水質を改善するための基礎原理とする。【００１４】一方、シャワーやカランから吐出される湯水質の改善を行うための磁気回路については、２個の円柱形のネオジム磁石を異なる磁極に向かい合わせ一定の距離に保ち配置をし、対面にあるＮ極からＳ極へまっすぐ向かう磁束の合間に、シャワーホースやカランパイプを定置させる。この場合、合間に定置するシャワーホースやカランパイプの口径を考えれば、磁力線の伸びよりも磁力線の集束を目的とする磁気回路であることが最良であるため、前項に記載された浴槽に貯められた湯水質を改善するための基礎原理を相反したものとなる。したがって、強磁性体である鉄を貼り付けた２個のネオジム磁石を、それぞれ表裏向きを変えて配置をすれば良い。以上を、本考案におけるシャワーやカランから吐出される湯水質を改善するための基礎原理とする。【００１５】以上により、本考案における磁気入浴用品の本体の形状については図１となる。発泡ウレタン合成木材であるケミカルウッドから成る２つの本体ケースには、２個の円柱形のネオジム磁石をそれぞれ１つずつ格納する。ひとつの本体ケースには、強磁性体である鉄をＳ極に貼り付けＮ極を磁力放出面に向けて格納し、もうひとつの本体ケースには、強磁性体である鉄をＮ極に貼り付けＳ極を磁力放出面に向けて格納する。本体の底面に相当するケース蓋の接着については、本体内部に湯水が浸入しないようシーリング成形をする。２つの本体は互いを引き合う磁力により一組みとなり、この形態を本考案における磁気入浴用品として定義する。【００１６】浴槽に貯められた湯水質改善の方法は、それぞれ本体の底面を向き合わせ、互いを引き合う磁力により一組みにし、お湯張りや追い炊きの際に浴槽へ入れる。浴槽の中では、本体が湯水の動きに呼応され揺り動きながら、本体から形成される強く拡がりをもった開放的な磁界により、起電力を生ずる電磁誘導の現象が普遍的に引き起こり、ゆえに磁気による湯水質の改善が効率良く行なわれる。図２参照。【００１７】シャワーやカランから吐出される湯水質改善の方法は、それぞれ本体の磁力放出面を向き合わせ、シャワーホースやカランパイプを間にし、互いを引き合う磁力によりシャワーホースやカランパイプを挟み付ける。本体を挟み付けたシャワーホースやカランパイプの中では、磁束の合間を湯水が通ると、湯水の流速運動により電磁誘導の現象が引き起こり、起電力が生じ磁気による湯水質の改善が行われる。図３参照。
【考案の効果】
【００１８】浴槽に貯められた湯水質の改善について、人が入浴中に浴槽の中で本体を意図的に湯水と遊ばせる運動も、効率の良い湯水質の改善にとって、大変効果的である。【００１９】永久磁石であるネオジム磁石を、耐水性を有する発泡ウレタン合成木材であるケミカルウッドから成る本体ケースに格納することにより、浴槽や水道器具を傷めず、湯水に浸かったままでも、本体の特性に影響なく長期に亘り耐用ができる。
【図面の簡単な説明】
【００２０】
【図１】本考案に係る磁気入浴用品を示す正面図である。
【図２】磁気入浴用品を浴槽で使用する際の正面図である。
【図３】磁気入浴用品をシャワーやカランに使用する際の正面図である。
【図４】磁気入浴用品を磁気ドリンクコースターとして使用する際の正面図である。
【図５】本体ケースの磁力放出面の平面図である。
【図６】本体ケースの底面の平面図である。
【考案を実施するための形態】
【００２１】浴槽での使用方法は、それぞれ本体の底面を向き合わせ、互いを引き合う磁力により一組みにし、浴槽へ入れる。浴槽の中で一組みにした本体の形態は、まるで果物であるかの様に愛らしく、視覚的にもリラクゼーション効果を得られる磁気入浴用品である。図２参照。
【００２２】そして、シャワーやカランでの使用方法は、シャワーホースやカランパイプを間にし、それぞれ本体の磁力放出面を向き合わせ、互いを引き合う磁力により、シャワーホースやカランパイプを挟み付ける。その際、本体が自重によりシャワーホースやカランパイプから脱落しない様、磁力放出面は隆起した形状としている。図３参照。
【実施例】
【００２３】さらに、それぞれ本体の底面を下にしてテーブルなどに横並べに配置し、磁力放出面に飲料水などの入ったペットボトルやコップなどを置くことにより、従来からある磁気ドリンクコースターとしての使用方法も兼ね備えている。図４参照。【００２４】浴室の使用に限らず、シャワーホースやカランパイプを挟み付ける要領で、キッチンや洗面所、洗濯給水などの水道パイプや水道ホースを挟み付けることにより、従来からある磁気活水器の使用方法も兼ね備えている。図３参照。
【産業上の利用可能性】
【００２５】本考案は、浴室内で使用する磁気入浴用品に関するものである。
【符号の説明】
【００２６】１      ケミカルウッドから成る本体ケース
２      ケミカルウッドから成る本体ケース蓋および本体底面
３      円柱形ネオジム磁石
４      強磁性体鉄
５      磁力放出面
６      磁力線
【図１】
0003157367.tif 000003
【図２】
0003157367.tif 000004
【図３】
0003157367.tif 000005
【図４】
0003157367.tif 000006
【図５】
0003157367.tif 000007
【図６】
0003157367.tif 000008
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
２つの本体ケースにそれぞれネオジム磁石を格納した一組みの本体は、浴槽の湯水に対し電磁誘導の現象を積極的に引き起こすため、浴槽で生ずるすべての湯水の動きとともに浴槽の底で揺り動くことのできる接地支点の少ない丸みを帯びた形状を有する磁気入浴用品。
【請求項２】
前記本体は、発泡ウレタン合成木材であるケミカルウッドから成る本体ケース仕様により、湯水の動きに呼応するための軽量性を有する請求項１記載の磁気入浴用品。
【請求項３】
前記本体は、浴槽の湯水の容量に対し効率の良い湯水質改善を行うため、それぞれ強磁性体を備え付けた２つのネオジム磁石の異極同士を向かい合わせた磁気回路によって、向き合っていない異極同士の磁力線が豊富に繋がり合い、強く拡がりをもった開放的な磁界を備える請求項２記載の磁気入浴用品。
【請求項４】
前記本体は、磁力により互いが引き合う組み合わせを変えることにより、浴槽の中の湯水の効率の良い湯水質改善と浴室内に設置されているシャワーホースやカランパイプの給湯水の湯水質改善について、どちらについても手軽に行える構造を有する請求項３記載の磁気入浴用品。
【請求項５】
永久磁石であるネオジム磁石を、耐水性を有する発泡ウレタン合成木材であるケミカルウッドから成る本体ケースに格納することにより、浴槽や水道器具を傷めず、湯水に浸かったままでも、本体の特性に影響なく長期に亘り耐用のできることを特徴とする請求項４記載の磁気入浴用品。